(57)【要約】      （修正有）【課題】軸部のある工具を安定垂下支持すると共にその脱落を有効に防止する工具用ハンガーを提供する。【解決手段】固定側に垂下支持される平板状の基板１の下方に形成されているテーパ状の長孔４の下方側には、長孔４のテーパ部に対応するテーパ状部を有する保持ピース２が係着される。保持ピース２には、スリット部により伸縮する貫通孔が形成され貫通孔はテーパ部とテーパ状部との圧接により縮寸されて工具３の軸部を固持する。また、長孔４内に形成されている突起部５により保持ピース２の飛び出しが防止される。【選択図】図１
0003165845.tif 000002
【実用新案登録請求の範囲】
【請求項１】
軸部を有する工具を垂下支持する工具用ハンガーであって、該ハンガーは、固定側に垂下支持される平板状の基板と、該基板の下方側に形成される長孔内に係止され前記工具の軸部を貫通状態で固持する貫通孔を有する保持ピースとを有するものからなり、前記長孔は、下方に向かって縮寸するテーパ孔からなり、前記保持ピースは、前記テーパ孔の下方側のテーパ部に当接するテーパ状部と該テーパ状部に連通して形成され前記基板側に係着する係着部とを一体的に形成すると共に前記軸部を固持する前記貫通孔に連通し該貫通孔を伸縮可能にするスリット部を形成するものからなることを特徴とする工具用ハンガー。
【請求項２】
前記基板の前記テーパ孔の中間部には内部に向かって突出する突起部が形成され、前記保持ピースは前記突起部の下方において前記基板の前記テーパ孔に固持される形状のものからなることを特徴とする請求項１に記載の工具用ハンガー。
【考案の詳細な説明】
【技術分野】
【０００１】
本考案は、軸部を有する工具を垂下状態で支持するハンガーに係り、特に工具の重量に対応して該工具を強く固持できると共に前記工具の飛び出し脱落を防止できる構造からなる工具用ハンガーに関する。
【背景技術】
【０００２】
工具を垂下支持するハンガーとしては各種のものがあるが、そのハンガーとしては固定側に垂下支持される平板状の基板と、この基板に係着支持されて前記工具を固持する保持ピースの如きものを有するものが主に使用されている。そのハンガーの内で本考案と比較的似ているものとして「特許文献１」が挙げられる。
【先行技術文献】
【特許文献】
【０００３】
【特許文献１】特開平１０−２９６６６３号（図１）
【考案の概要】
【考案が解決しようとする課題】
【０００４】
前記「特許文献１」の「特開平１０−２９６６６３号」の「工具用ハンガー」は、平板状の基体（１）と、この基体（１）の下方に形成されている窓孔（４）に係着して工具を伸縮可能に保持する保持体（２）とを有するものからなり、窓孔（４）は保持体（２）の通過可能の挿入孔部（４ａ）とこの下方に一体的に形成されて前記保持体（２）を固持する係合孔部（４ｂ）を有するものからなり、窓孔（４）の中間部には突起状の押圧部（５）を有するものからなる。
【０００５】
以上の構造の「特許文献１」は後に詳細構造を説明する本考案と構造的に似ている内容のものではあるが、工具の軸部を強く固持して工具を安定固持できると共に、工具の重量の増加に対して該工具を更に強く固持できる構造においては本考案と大きく相違するものである。
【０００６】
また、図１０に示すように、従来使用されている保持ピース２ａは後に説明する本願の如き保持ピース２のスリット部１３を有する係着部１２がないため工具３の軸部３ａを介して工具３を嵌め込むことができない問題点があった。
【０００７】
本願の考案は、以上の説明の内容のものからなり、以上のように工具の重量に対応しながら固持でき、かつ工具の飛び出し脱落を防止する構造のものからなると共に工具の嵌め込みが容易に出来る工具用ハンガーを提供することを目的とする。
【課題を解決するための手段】
【０００８】
本考案は、以上の目的を達成するために、請求項１の考案は、軸部を有する工具を垂下支持する工具用ハンガーであって、該ハンガーは、固定側に垂下支持される平板状の基板と、該基板の下方側に形成される長孔内に係止され前記工具の軸部を貫通状態で固持する貫通孔を有する保持ピースとを有するものからなり、前記長孔は、下方に向かって縮寸するテーパ孔からなり、前記保持ピースは、前記テーパ孔の下方側のテーパ部に当接するテーパ状部と該テーパ状部に連通して形成され前記基板側に係着する係着部とを一体的に形成すると共に前記軸部を固持する前記貫通孔に連通し該貫通孔を伸縮可能にするスリット部を形成するものからなることを特徴とする。
【０００９】
また、請求項２の考案は、前記基板の前記テーパ孔の中間部には内部に向かって突出する突起部が形成され、前記保持ピースは前記突起部の下方において前記基板の前記テーパ孔に固持される形状のものからなることを特徴とする。
【考案の効果】
【００１０】
本考案の請求項１の工具用ハンガーによれば、保持ピースは基板のテーパ孔に固持されるテーパ状部を有し、そのスリット部により、貫通孔を伸縮可能に変化させることができるため工具の軸部を強く固持できると共に基板の長孔がテーパ状に形成され保持ピースもテーパ状部を形成するものからなるため工具の重量に対応して工具を強く固持できる効果を有するものからなる。
【００１１】
また、本考案の請求項２の工具用ハンガーによれば、保持ピースは基板の長孔の下方において固持され、長孔の中間部に形成されている突起部により飛び出し脱落を防止することができる。
【図面の簡単な説明】
【００１２】
【図１】本考案の工具用ハンガーの全体構造とこれに垂下支持されている工具の状態を示す斜視図。
【図２】本考案の工具用ハンガーの基板の構造を示す正面図（ａ）及び側面図（ｂ）。
【図３】本考案の保持ピースの正面図（ａ）と底面図（ｂ）及び側面図（ｃ）。
【図４】本考案の工具用ハンガーによる工具の固持状態を示す模式的部分正面図。
【図５】重量のある工具の固持状態を示す模式的部分正面図。
【図６】工具の飛び出し脱落を防止する構造を説明するための模式的部分正面図。
【図７】実施例１に示した工具と異なる形状の工具の保持状態を示す正面図（ａ），（ｂ），（ｃ），（ｄ）。
【図８】本考案の工具用ハンガーによる工具の嵌め込む方法を示す断面図。
【図９】図８によって嵌め込まれた工具の保持状態を示す断面図。
【図１０】従来の保持ピースの問題点を説明するための部分斜視図。
【考案を実施するための形態】
【００１３】
以下、本考案の工具用ハンガーの実施例を図面を参照して詳述する。
【００１４】
図１は本考案の工具用ハンガーの全体構造と工具の固持状態を示すものである。
図示のように本考案の工具用ハンガー１００は、平板状の基板１と、これに係着して工具３を固持する保持ピース２とからなる。図示のように保持ピース２は基板１のテーパ状の長孔４の突起部５の下方において長孔４内に係着支持され、工具３の軸部３ａを固持して工具３を垂下支持するものからなる。
【００１５】
図２（ａ），（ｂ）は基板１の詳細構造を示す。基板１は図１（ｂ）に示すような薄厚の平板状のものからなり、図１（ａ）に示すように下方において縮寸する段状の板部６からなり、板部６の縮寸状の下方側には下方に向かって縮寸するテーパ状の長孔４が形成され、板部６の拡寸状の上方側の頂部近傍には係止孔７が貫通形成されている。また、長孔４の中間部には前記のように突起部５が一体的に形成されている。
【００１６】
図３に示すように保持ピース２は貫通孔９を中央部に形成する本体側ピース１０と、本体側ピース１０に係止溝１１を介して一体的に形成される係着部１２とからなり、貫通孔９にはこの内径を伸縮するスリット部１３が連通して形成される。
【００１７】
保持ピース２の係止溝１１は基板１の長孔４の下方側のテーパ部８に当接するテーパ状部１４を形成するものからなり、係着部１２もテーパ状部１４と併設されるテーパ１５を形成するものからなる。
【００１８】
次に、図４により、基板１の長孔４に係着して工具３の軸部３ａを固持している保持ピース２の係着状態を示す。なお、図４における工具３は比較的軽量のものからなる。
図示のように保持ピース２は基板１の長孔４の下方側のテーパ部８に保持ピース２のテーパ状部を当接（圧接）すると共にその係着部１２を基板１の裏側に係着した状態で長孔４内に固持される。なお、図示のように保持ピース２は長孔４の突起部５より下方において固持され、工具３の軸部３ａを固持している。当然ながら、保持ピース２を長孔４内に挿入する場合は長孔４の上方側から挿入して下方に向かって押し下げることにより図示の状態となる。以上のように保持ピース２は長孔４内に固持されて工具３を固持するが、保持ピース２は図３に示すように貫通孔９に連通するスリット部１３があるため、保持ピース２の長孔４内の挿入と下部への移動によりスリット部１３が縮められ、工具３の軸部３ａが貫通孔９内で固持されることによる。
【００１９】
図５は図４の場合より重量物の工具３を保持ピース２により固持した状態を示す。保持ピース２は高重量の工具３の重さにより図４の場合よりも長孔４の下方側に進み、そのテーパ状部１４を長孔４のテーパ部８に更に強く圧接されることにより重量物の工具３を長孔４内に安定固持することになる。
【００２０】
図６は工具３の長孔４内からの外れを防止するための構造を説明するものであり、保持ピース２は長孔４内の突起部５によって上方に進むことが防止され、長孔４内からの脱落が確実に防止される。
【００２１】
図７は実施例１で説明した工具３と異なる形状の工具の保持状態を示すものであり、図７（ａ）はマイナスドライバであり、図７（ｂ）はボックスドライバであり、図７（ｃ）はドリルチャックであり、図７（ｄ）は六角軸ドライバ（本実施例とほぼ同一のもの）である。
【００２２】
図８は本実施例における保持ピース２による工具３の嵌め込み状態を示すものであり、工具３はその軸部３ａを保持ピース２の係着部１２のスリット部１３を介して挿入されて貫通孔９ないに保持される。なお、図９は図８の如く挿入された工具３の保持ピース２による保持状態を示すものである。
【００２３】
本考案の工具用ハンガーは、以上の内容のものからなるが、工具用ハンガーは以上の説明の内容に限定するものではなく、同一技術的範疇のものが適用されることは勿論である。また、本考案の工具用ハンガーにおいて長孔４内には突起部５が形成されているがその形状は任意のものでよく、また、突起部５がないものも請求項１の記載からみて本考案の工具用ハンガーの技術的範疇に入ることは勿論である。
【産業上の利用可能性】
【００２４】
本考案の工具用ハンガーは、軸部を有するすべての工具に対して適用され、その利用範囲は極めて広い。
【符号の説明】
【００２５】
１      基板
２      保持ピース
３      工具
３ａ    軸部
４      長孔
５      突起部
６      板部
７      係止孔
８      テーパ部
９      貫通孔
１０    本体側ピース
１１    係止溝
１２    係着部
１３    スリット部
１４    テーパ状部
１５    テーパ
１００  工具用ハンガー
【図１】
0003165845.tif 000003
【図２】
0003165845.tif 000004
【図３】
0003165845.tif 000005
【図４】
0003165845.tif 000006
【図５】
0003165845.tif 000007
【図６】
0003165845.tif 000008
【図７】
0003165845.tif 000009
【図８】
0003165845.tif 000010
【図９】
0003165845.tif 000011
【図１０】
0003165845.tif 000012